(57)【要約】【課題】インバータ制御回路を有する家電機器用モータ（ファンモータ、クリーナモータ、洗濯機モータ）、クリーンルーム用ファンモータ、換気扇用モータ、給湯器用モータ等においては通常毎分数百〜数千回転程度であるため、安定した除電が困難である。【解決手段】導電性の接触式シールとその摺動部との間に、比誘電率が３以上のグリース組成物を塗布する。【選択図】なし【特許請求の範囲】
【請求項１】
導電性の接触式シールを備え、このシールとその摺動部との間に、比誘電率が３以上のグリース組成物が塗布されていることを特徴とする転動装置。
【請求項２】
請求項１に記載の転動装置を装備したインバータ制御駆動モータ。
【発明の詳細な説明】
【技術分野】
【０００１】
本発明は、グリース組成物を封入した転動装置に関し、特に、静電現象によって軌道輪と転動体との間に生じる電食を防止することができる電食防止可能な転がり軸受に関するものである。
【背景技術】
【０００２】
従来、この種の転がり軸受は、家電機器用モータ（ファンモータ、クリーナモータ、洗濯機モータ）、クリーンルーム用ファンモータ、換気扇用モータ、給湯器用モータのように、比較的小型モータであり、インバータ制御回路を有するモータに使用されている。
上記用途では、インバータ回路から高周波の電流が発生し、この電流が軸受内の内輪、玉、外輪の間を通過して流れ、転動面（レース面）に電食を発生させるという問題があった。
その対策として、例えば、外輪外径に絶縁材料からなる樹脂製のスリーブを取り付けた電食防止可能な転がり軸受が提案されている（特許文献１および２等）。
【０００３】
転動体に、絶縁性と長寿命を目的としたセラミックを使用し、いずれか一方若しくは両方の軌道輪の残留オーステナイトを２容量％以下とした転がり軸受が提案されている（特許文献３）。
さらに、シールを用いた対策として、金属素材＋導電性ゴムシール（特許文献４）や、絶縁性ボール＋導電性シール（特許文献５）などがあるが、従来の接触シールでは時間の経過とともに導電性が低下する傾向がある。
事務機用軸受においては、通電ブラシを備えた軸受が使用されることがある（特許文献６）。
【特許文献１】実開平５−８９９５３号公報
【特許文献２】特開平６−２２９４２５号
【特許文献３】特開２００１−４１２４８号公報
【特許文献４】実開平６−７３４５７号公報
【特許文献５】特開平９−３７０７２１号公報
【特許文献６】実用新案登録第２５８２９６０号
【発明の開示】
【発明が解決しようとする課題】
【０００４】
通常、事務機用軸受の回転速度は毎分数十〜数百回転程度であるため、前記のような対策で対応できる。一方、インバータ制御回路を有する家電機器用モータ（ファンモータ、クリーナモータ、洗濯機モータ）、クリーンルーム用ファンモータ、換気扇用モータ、給湯器用モータ等においては通常毎分数百〜数千回転程度であるため、安定した除電が困難である。
【課題を解決するための手段】
【０００５】
上記の目的を達成するために、本発明は、導電性の接触式シールを備え、このシールとその摺動部との間に、比誘電率が３以上のグリース組成物が塗布されていることを特徴とする転動装置を提供する。
本発明はまた、本発明の転動装置を装備したインバータ制御駆動モータを提供する。
【発明の効果】
【０００６】
本発明の転動装置は、導電性シールの摺動部に比誘電率が高いグリース組成物が塗布されているため、内外輪間の電位差を容易に除電することができ、電食の発生を効果的に防止できる。
とくに、転動装置潤滑グリースに、直流電流による抵抗率でなく、周波数に関係するインピーダンス特性や比誘電率を規定することにより、インバータ制御駆動モータの高周波数ノイズを効果的に除電させ転動面（レース面）に電食の発生を防止できる。
【発明を実施するための最良の形態】
【０００７】
以下、本発明の実施形態について説明する。
本発明において転動装置の種類やその構造については何ら制限がないが、上記に挙げた各種用の転動装置、インバータ制御駆動モータが主たる対象となる。そして、これらの転動装置には、比誘電率が３以上であるグリース組成物を塗布する。
【０００８】
[基油] 
グリース組成物の基油は、グリース組成物としての比誘電率が３以上を満足する限り特に限定されないが、極性基が含まれている油がより好適である。
通常、潤滑油の基油として使用されている油は、全て使用することができる。好ましくは、低温流動性不足による低温起動時の異音発生や、高温時の耐熱性の観点から、４０℃における動粘度が、好ましくは５ｍｍ2 ／ｓｅｃ以上３００ｍｍ2 ／ｓｅｃ未満、より好ましくは１０ｍｍ2 ／ｓｅｃ以上１００ｍｍ2 ／ｓｅｃ未満である基油が望ましい。
【０００９】
具体的には、鉱油系、合成油系または天然油系の潤滑油などが挙げられる。前記鉱油系潤滑油としては、鉱油を減圧蒸留、油剤脱れき、溶剤抽出、水素化分解、溶剤脱ろう、硫酸洗浄、白土精製、水素化精製等を、適宜組み合わせて精製したものを用いることができる。
前記合成油系潤滑基油としては、炭化水素系油、芳香族系油、エステル系油、エーテル系油，ポリグリコール系油、イオン性液体等が挙げられる。前記炭化水素系油としては、ノルマルパラフィン、イソパラフィン、ポリブテン、ポリイソブチレン、１−デセンオリゴマー、１−デセンとエチレンコオリゴマーなどのポリ−α−オレフィンまたはこれらの水素化物などが挙げられる。
【００１０】
前記芳香族系油としては、モノアルキルベンゼン、ジアルキルベンゼン、などのアルキルベンゼン、あるいはモノアルキルナフタレン、ジアルキルナフタレン、ポリアルキルナフタレンなどのアルキルナフタレンなどが挙げられる。
前記エステル系油としては、二塩基酸と分岐アルコールとの反応から得られるジエステル油，一塩基酸と多価アルコールとの反応から得られるネオペンチル型ポリオーエステル油などを好適に挙げることができる。これらは単独でも複数種を併用してもよい。
【００１１】
具体例を開示すると、ジエステルとしては、ジオクチルアジペート（ＤＯＡ）、ジイソブチルアジペート（ＤＩＢＡ）、ジブチルアジペート（ＤＢＡ）、ジブチルセバケート（ＤＢＳ）、ジオクチルセバケート（ＤＯＳ）、メチル・アセチルリシノレート（ＭＡＲ−Ｎ）などが挙げられる。芳香族エステル油としては、トリオクチルトリメリテート（ＴＯＴＭ）、トリデシルトリメリテート、テトラオクチルピロメリテートなどが挙げられる。ネオペンチル型ポリオールエステルは、炭素数５〜１２好ましくは５〜９のネオペンチル型ポリオールと、炭素数４〜１８好ましくは６〜１２の有機酸との反応によって作られる。
【００１２】
上記のネオペンチル型ポリオールは、ネオペンチル構造を有する多価アルコールであり、例えば、２，２−ジメチル−プロパン−１，３−ジオール（すなわち、ネオペンチルグリコール）、２−エチル−２−ブチル−プロパン−１，３−ジオール、２，２−ジエチル−プロパン−１，３−ジオール、２−メチル−２−ブチル−プロパン−１，３−ジオール、トリメチロールエタン、トリメチロールプロパン、トリメチロールブタン、ペンタエリスリトール等が使用できる。好ましくは２，２−ジメチル−プロパン−１，３−ジオール、２−メチル−２−ブチル−プロパン−１，３−ジオール、トリメチロールプロパン、ペンタエリスリトールであり、特に好ましくは２，２−ジメチル−プロパン−１，３−ジオール、トリメチロールプロパン、ペンタエリスリトールである。
【００１３】
また、上記の有機酸としては、例えばｎ−ブタン酸、ｉ−酪酸、ｎ−ペンタン酸、ｉ−吉草酸、ｎ−ヘキサン酸、２−エチルブタン酸、ｉ−ヘキサン酸、ヘキサヒドロ安息息酸、ｎ−ヘプタン酸、ｉ−ヘプタン酸、メチルヘキサヒドロ安息息酸、ｎ−オクタン酸、ジメチルヘキサン酸、２−エチルヘキサン酸、２，４，４−トリメチルペンタン酸、ｉ−オクタン酸、３，５，５−トリメチルヘキサン酸、ｎ−ノナン酸、ｉ−ノナン酸、ｉ−デカン酸、ｉ−ウンデカン酸、２−ブチルオクタン酸、トリデカン酸、テトラデカン酸、ヘキサデカン酸、オクタデカン酸等が使用できる。好ましくはｎ−ヘプタン酸、ｎ−オクタン酸、ジメチルヘキサン酸、２−エチルヘキサン酸である。
これらの有機酸とネオペンチル型ポリオールとからのネオペンチル型ポリオールエステルの合成は、従来から知られている方法、例えば、酸性触媒の存在下で脱水縮合する方法によって行うことができる。
【００１４】
本発明組成物におけるネオペンチル型ポリオールエステルとしては（以下、ネオペンチルグリコールをＮＰＧ、トリメチロールプロパンをＴＭＰ、ペンタエリスリトールをＰＥと略す）、例えば、ＮＰＧ・ジ−（ヘプタノエート）、ＮＰＧ・ジ−（２−エチルブチレート）、ＮＰＧ・ジ−［混合（ヘキサノエート、ヘプタノエート）］、ＴＭＰ・トリ−（ペンタノエート）、ＴＭＰ・トリ−（ヘキサノエート）、ＴＭＰ・トリ−［混合（ブチレート、オクタデカノエート）］、ＴＭＰ・トリ−［混合（ヘキサノエート、ヘプタノエート、オクタノエート）］、ＰＥ・テトラ（ペンタノエート）、ＰＥと炭素数４〜８の直鎖状又は分岐状カルボン酸の混合物とのエステル等が挙げられる。
【００１５】
また、ＮＰＧ、ＴＭＰおよびＰＥ以外のネオペンチル型ポリオール、すなわち２−メチル−２−プロピル−１，３−ジオール、２，２−ジメチル−プロパン−１，３−ジオール、トリメチロールエタン、トリメチロールヘキサンと上記の有機酸の単独又は混合体とのネオペンチル型ポリオールエステル等が挙げられる。
分子内電気的極性を保つためには基油は炭化水素鎖長が比較的短く、分子量が小さい方が好ましい。さらにはまた、多価アルコールと二塩基酸・一塩基酸の混合脂肪酸とのオリゴエステルであるコンプレックスエステル油などが挙げられる。
【００１６】
前記エーテル系油としては、ポリエチレングリコール、ポリプロピレングリコール、ポリエチレングリコールモノエーテル、ポリプロピレングリコールモノエーテルなどのポリグリコール、あるいはモノアルキルトリフェニルエーテル、アルキルジフェニルエーテル、ジアルキルジフェニルエーテル、ペンタフェニルエーテル、テトラフェニルエーテル、モノアルキルテトラフェニルエーテル、ジアルキルテトラフェニルエーテルなどのフェニルエーテル油などが挙げられる。その他の合成潤滑基油としてはトリクレジルフォスフェート、シリコーン油、パーフルオロアルキルエーテルなどが挙げられる。
【００１７】
ポリグリコール系油はポリエチレングリコール、ポリプロピレングリコール、プロピレンオキサイドとエチレンオキサイドなどを共重合させたポリオキシアルキレングリコールなどが挙げられる。ポリグリコール油は、ポリエチレングリコールとプロピレングリコールなどの重合比率を変えることで水溶性や、油溶性に調整できる。
前記イオン性液体とは常温溶融塩とも呼ばれ、液体状でイオン結合を成している。具体的には脂肪族アミン系、脂環式アミン系、イミダゾリウム系、ピリジン系等をカチオンに挙げることができる、アニオン（Ｘ- ）には、ＢＦ4 - ，ＰＦ6 - ，［（ＣＦ3 ＳＯ2 ）2 Ｎ］- ，Ｃｌ- ，Ｂｒ- 等を挙げることができる。
【００１８】
【化１】
2008274986.tif 000002
【００１９】
アルキル基の炭素数が多く分子量が大きい程，動粘度が大きくなる。
前記天然油系潤滑基油としては、牛脂、豚脂、大豆油、菜種油、米ぬか油、ヤシ油、パーム油、パーム核油等の油脂系油またはこれらの水素化物が挙げられる。
グリースの比誘電率を上げるためには、基油中に極性基が含まれているエステル系油、エーテル系油、イオン性液体等がより好ましい。
これらの基油は、単独または混合物として用いることができ、上述した好ましい動粘度に調整される。
【００２０】
［増ちょう剤］
増ちょう剤は、グリース組成物としての比誘電率が３以上を満足し、かつ、上記の基油をゲル構造中に保持する能力があれば、特に制約はない。例えば、Ｌｉ、Ｎａ等からなる金属石けん、Ｌｉ、Ｎａ、Ｂａ、Ｃａ等から選択される複合金属石けん等の金属石けん類、ベントン、シリカゲル、導電性カーボン、ウレア化合物、ウレア・ウレタン化合物、ウレタン化合物等の非石けん類を適宜選択して使用できるが、グリースの耐熱性を考慮するとウレア化合物、ウレア・ウレタン化合物、ウレタン化合物または、これらの混合物が好ましい。
【００２１】
このウレア化合物、ウレア・ウレタン化合物、ウレタン化合物としては、具体的にはジウレア化合物、トリウレア化合物、テトラウレア化合物、ポリウレア化合物、ウレア・ウレタン化合物、ジウレタン化合物またはこれらの混合物が挙げられ、これらの中でもジウレア化合物、ウレア・ウレタン化合物、ジウレタン化合物またはこれらの混合物がより好ましい。耐熱性を考慮すると、ジウレア化合物を配合することがより望ましい。
【００２２】
また、本願発明のように比誘電率を上げるためには、金属石けん、金属複合石けん等の金属元素が含有した増ちょう剤を用いることが好ましい。脂肪酸として、１２−ヒドロキシステアリン酸や牛脂系脂肪酸であるステアリン酸などを挙げることができる。これらのなかで、１２−ヒドロキシステアリン酸リチウムが望ましく、ステアリン酸リチウム石けんは耐フレッチング性、耐摩耗性を向上促進する。リチウム複合石けんは、グリースの滴点が高く耐熱性に優れるので好ましい。
【００２３】
とくに導電性カーボンは、具体的にはケッチェンブラック（ライオン）、#3350B、#3050B、#3030B（三菱化学）などは、導電性と増ちょう性の双方を備えているので、比誘電率の低い基油への組合せに好適である。
増ちょう剤の総量は適切なグリースちょう度を得るために特に制約がないが、2 〜３０質量％程度である。
【００２４】
［添加剤］
（酸化防止剤）
グリースの酸化を防ぐ為に酸化防止剤が使用され、アミン系、フェノール系の化合物や亜鉛ジチオカーバメート等を挙げることができる。
（防錆剤・油性剤）
先に例示した界面活性剤と重複するが、例えばオレイン酸やステアリン酸等の脂肪酸、オレイルアルコール等の脂肪酸アルコール、ポリオキシエチレンステアリン酸エステル等の脂肪酸エステル、トリクレジルフォスフェート、ラウリル酸エステル、ポリオキシエチレンオレイルエーテルリン酸等のリン酸エステル等を使用することができる。
【００２５】
防錆剤として、金属系では油溶性スルホネート等が良く用いられ、例えば（石油）スルホネートのバリウム塩、カルシウム塩、マグネシウム塩、ナトリウム塩、亜鉛塩、アルミニウム塩、リチウム塩などがある。他にフェネート、サリシレート、ホスホネート、無灰系では、コハク酸イミド、ベンジルアミン、コハク酸エステル、コハク酸ハーフエステル、ポリメタクリレート、ポリブテン、ポリカルボン酸アンモニウム塩などを挙げる事ができる。
【００２６】
（摩耗防止剤）
耐荷重性能を高める為必要に応じて以下の添加剤を適宜加える事ができる。例えば、亜鉛、モリブデン、テルル、アンチモン、セレン、鉄、銅等のジチオカルバミン酸塩やその組み合わせ等、亜鉛、モリブデン、アンチモン等のジチオリン酸塩等、オクチル酸鉄、ナフテン酸銅、ジブチルスズサルファイド、フェネート、ホスフェート等の有機金属化合物も必要に応じて使用できる。
【００２７】
（その他添加剤）
界面活性剤を加えることは有効で、液状のものが特に好ましい。界面活性剤にはスルホン酸型例えばアルコールサルフェート、アルコールエトキシサルフェート、アルコールエーテルサルフェート、芳香族エーテルサルフェート、リン酸エステル型たとえば芳香族リン酸エステル、脂肪族リン酸エステル、ソルビダン脂肪酸エステル、グリセリン脂肪酸エステル、ポリオキシエチレンアルキルエーテル、イミダゾリン型などが挙げられる。特開２００３−４２１６６のごとく金属酸化物粒子によって、摩耗による酸化被膜や、電食による凹凸の損傷をミクロ的に平滑化できるため、さらに長時間安定した機能を保つことができる。これらの添加剤の総量は１０質量％以下が好ましい。
【００２８】
この発明に用いるグリースについては、その効果を阻害しない限り適宜、酸化防止剤、油性剤、摩耗防止剤の類を添加する。特に、室温において粘性液体であるものはぐリースを軸受に封入した際軸受の音響、振動に影響を与えないので好ましい。また、添加剤は分子内極性を持つものが好ましく、添加剤はグリース中の電気配向性を高め、導電率を高めることができる。
【００２９】
添加剤はグリースの各種機能を高めることができるが、ちょう度などグリース性状に悪影響を及ぼす恐れがあり、その他添加剤の総量は１０質量％未満が好ましい。
グリースちょう度は特に限定しないがＮＬＧＩでNo. １〜４程度（混和ちょう度３４０〜１７５）が好ましい。より好ましくは２２０〜２９５程度が好ましい。グリースが硬過ぎると、トルクの安定性に問題がでるので好ましくない。一方やわらか過ぎると塗布部からグリース漏洩し、十分な効果が得られなくなるので好ましくない。
【実施例】
【００３０】
以下に、実施例及び比較例を挙げて本発明を更に説明するが、本発明はこれによって何ら制限されるものではない。
軸受鋼（ＳＵＪ２）製の６２０１型深溝玉軸受（内径１２ｍｍ、外径３２ｍｍ、幅１０ｍｍ）に、潤滑用のグリースを空間容積の３０％相当を充填し、導電性の接触シールを取り付けた。シールと摺動部の接触部に本願のグリースが保持されている。
【００３１】
さらに、すべり軸受にはインバータからの漏れ電流を流した。本実施例のインバータキャリア周波数は１６ｋＨｚとした。
室温で、軸を他の軸受で支持し、継ぎ手を介してモータに接続し、本実施形態の軸受にインバータからの漏れ電流を流す。アキシアル荷重：３９．２Ｎ、回転速度：1 ５００ｍｉｎ-1、所定の時間（試験回数ｎ＝３) で試験した。試験前後の振動試験を実施し、試験前後の振動値Ｇ値の増加率で示した。
【００３２】
振動値の増加率が１．０〜１．５倍未満を○，１．５以上２．０倍未満を△，２．０倍以上を×とした。
表中に記載していないが、全ての実施例及び比較例にアミン系酸化防止剤１％，防錆剤として亜鉛スルホネート１％が添加してある。
絶縁抵抗計にてグリースの抵抗を測定し、直流電流による体積低効率を換算し参考値とした表中に記載した。使用したイオン性液体の構造式を以下に示す。
【００３３】
【化２】
2008274986.tif 000003
【００３４】
＜グリースＬＣＲメータ測定＞
電極（直径：３８ｍｍ、厚さ：０．３ｍｍ）にグリースを充填し、ＬＣＲメータを接続させ、２５℃の雰囲気でその間のインピーダンスＺ（Ω），位相角θ（°），キャパシタンスＣp （Ｆ），抵抗Ｒp （Ω）を測定した。測定したインピーダンスの値は、測定電極の断面積と厚さから体積抵抗率に換算した。
周波数は５０Ｈｚ〜１ＭＨｚの範囲を測定した。インバータキャリア周波数の１６ｋＨｚの値で評価した。
【００３５】
また、比誘電率は以下式に代入して求めた。
比誘電率：εr ＝√［（εr ’）2 ＋（εr ”）2 ］
εr ’：複素誘電率の実数部  ＝Ｃp ／Ｃ0  
εｒ”：複素誘電率の虚数部  ＝１／（２πｆ×Ｃ0 ×ＲP ）  
ｆ  ：周波数（Ｈｚ）
Ｃp ：試料グリースのキャパシタンス（Ｆ）
Ｃ0 ：空気（グリースを取り除いた状態）のキャパシタンス（Ｆ）
ＲP ：試料グリースの抵抗（Ω）
【００３６】
【表１】
2008274986.tif 000004
【００３７】
本願の実施例から、比誘電率の大きいグリースを使用し、静電容量を高めることでインバータ制御駆動モータの高周波数ノイズによる電食を効果的に防止することができる。
なかでも、比誘電率高いイオン性液体を使用した場合、良好な効果を得る。